(57)【要約】【課題】  所望の動作特性が書き込まれた電子部品を短期間で得ることを可能にするプログラマブル電子部品の販売方法およびプログラマブル電子部品の販売システムを提供する。【解決手段】  プログラマブル電子部品の販売方法は、プログラマブル電子部品の供試品と、この供試品にファイルを書き込む書き込み手段１４とを顧客に提供し、前記顧客の要求する前記プログラマブル電子部品の動作特性に基づいて、前記供試品に書き込む試験ファイルを生成して前記顧客に提供し、前記書き込み手段１４を介して前記試験ファイルを書き込んだ前記供試品の特性を確認し、前記供試品の特性が前記顧客の要求動作特性に合ったときに、前記要求動作特性を有するプログラマブル電子部品を前記顧客に提供する構成とした。【選択図】    図１
2005276179.tif 000002
【特許請求の範囲】
【請求項１】
プログラマブル電子部品の供試品と、この供試品にファイルを書き込む書き込み手段と
を顧客に提供し、
前記顧客の要求する前記プログラマブル電子部品の動作特性に基づいて、前記供試品に
書き込む試験ファイルを生成して前記顧客に提供し、
前記書き込み手段を介して前記試験ファイルを書き込んだ前記供試品の特性を確認し、
前記供試品の特性が前記顧客の要求動作特性に合ったときに、前記要求動作特性を有す
るプログラマブル電子部品を前記顧客に提供する、
ことを特徴とするプログラマブル電子部品の販売方法。
【請求項２】
前記試験ファイルの提供に対して課金することを特徴とする請求項１に記載のプログラ
マブル電子部品の販売方法。
【請求項３】
前記試験ファイルを販売者が確認可能であることを特徴とする請求項１または２に記載
のプログラマブル電子部品の販売方法。
【請求項４】
顧客側に設置され、提供されたプログラマブル電子部品の供試品に試験ファイルを書き
込む書き込み手段と、
前記顧客が要求する前記プログラマブル電子部品の動作特性を出力するとともに、通信
網を介して前記供試品に書き込む試験ファイルを受信して前記書き込み手段に与える顧客
端末と、
前記通信網を介して前記顧客の要求動作特性を受信するとともに、前記試験ファイルを
出力する販売者端末と、
前記販売者端末が受信した前記要求動作特性に基づいて、予め与えられたアルゴリズム
に従って前記試験ファイルを生成して出力する生成手段と、
を有することを特徴とするプログラマブル電子部品の販売システム。
【請求項５】
前記試験ファイルを書き込まれた前記供試品が前記要求動作特性を有することに基づく
発注情報を販売者が受けたときに、前記顧客に提供する前記プログラマブル電子部品に前
記試験ファイルに基づいたファイルを書き込む製品ファイル書き込み手段を有することを
特徴とする請求項４に記載のプログラマブル電子部品の販売システム。
【請求項６】
前記生成手段で生成したファイルを記憶するデータベースを設け、前記データベースは
前記生成手段に接続するとともに、前記通信網を介して前記顧客端末に接続したことを特
徴とする請求項４または５に記載のプログラマブル電子部品の販売システム。
【請求項７】
前記プログラマブル電子部品はプログラマブル発振器であることを特徴とする請求項４
ないし６のいずれかに記載のプログラマブル電子部品の販売システム。
【発明の詳細な説明】
【技術分野】
【０００１】
本発明はプログラマブル電子部品の販売方法およびプログラマブル電子部品の販売シス
テムに係り、特に通信網を介してプログラマブル電子部品を動作させるファイルを生成し
て販売するプログラマブル電子部品の販売方法およびプログラマブル電子部品の販売シス
テムに関する。
【背景技術】
【０００２】
電子機器には、圧電発振器、集積回路素子、抵抗器、コンデンサ等の多くの電子部品を
組み付けて製造される。そして電子機器の仕様によって、これらの電子部品の動作特性が
適宜選択されている。ところでプログラマブル発振器は、この発振器を動作させるファイ
ルによって発振周波数や精度等の様々な特性を変更することができるので、発振器が搭載
される電子機器の仕様に合わせて前記ファイルを生成する必要がある。
【０００３】
図６に従来技術に係るプログラマブル発振器の販売の流れを説明するフローを示す。電
子機器を製造するに際して、動作特性の異なる複数のプログラマブル発振器を使用して、
前記電子機器が正常に動作するか否か評価する場合がある。この場合、電子機器を製造す
る顧客は、プログラマブル発振器の販売者に対して発振周波数や精度等の動作特性や数量
を指定して、電話やファクシミリ等を用いてサンプル品を注文することになる（Ｓ１）。
そして前記販売者は注文された動作特性を満たすファイルを生成し（Ｓ２）、このファイ
ルをプログラマブル発振器に書き込んで（Ｓ３）動作チェックをした後、顧客にサンプル
品を出荷している（Ｓ４）。サンプル品を納品された顧客は、サンプル品を電子機器に組
み込んで正常に動作するか否か等のサンプル評価を行い（Ｓ５）、正常に動作するプログ
ラマブル発振器の動作特性のみを販売者に量産依頼する（Ｓ６）。そして販売者は量産依
頼された動作特性のプログラマブル発振器を量産して、量産した発振器を顧客に出荷して
いる（Ｓ７）。
【０００４】
なお従来では、プログラマブル発振器の生産注文を受けた後、その発振器の製造に適し
たプログラミングセンタで製造し、顧客が規定した配達仕向地に対して出荷するシステム
が提案されている（特許文献１を参照）。
【特許文献１】特表２００１−５０９９２８号公報
【発明の開示】
【発明が解決しようとする課題】
【０００５】
しかしながら、上述した従来技術に係る販売システムでは、プログラマブル発振器の動
作特性は各電子機器に合わせて製造されるために、前記動作特性は無限にあるといえる。
このため注文を受けると毎回新しいファイルを生成しなければならず、ファイルの生成作
業に多くの手間と時間がかかる問題点があった。そして複数の動作特性の注文を受けた場
合、例えば１０個のプログラマブル発振器に、それぞれ異なる動作特性の注文を受けた場
合は、それぞれのファイルの生成に多くの作業が必要となり、注文を受けてからサンプル
品を顧客に出荷するまでに時間がかかる問題点があった。
【０００６】
また従来技術では、サンプルの販売個数に対して課金されていたので、例えば同じ動作
特性のプログラマブル発振器を１０個注文受けた場合と、それぞれ異なる動作特性のプロ
グラマブル発振器を１０個注文受けた場合とでは料金が同じとなっていた。このためファ
イルを生成する量が多い場合、ファイルの生成やファイルの書き込むために多くの作業が
必要となるが、プルグラマブル発振器の数量に対して課金されていたので、作業量に対し
て正当な課金がされていない問題点があった。
【０００７】
本発明は、上記問題点を解決するためになされたもので、ファイルを生成・書き込みす
るための作業量を減らすとともに、所望の動作特性が書き込まれたプログラマブル電子部
品を短期間で提供することを可能にするプログラマブル電子部品の販売方法およびプログ
ラマブル電子部品の販売システムを提供することを目的とする。
また本発明は、コストに見合った料金を要求することを目的とする。
【課題を解決するための手段】
【０００８】
上記目的を解決するために、本発明に係るプログラマブル電子部品の販売方法は、プロ
グラマブル電子部品の供試品と、この供試品にファイルを書き込む書き込み手段とを顧客
に提供し、前記顧客の要求する前記プログラマブル電子部品の動作特性に基づいて、前記
供試品に書き込む試験ファイルを生成して前記顧客に提供し、前記書き込み手段を介して
前記試験ファイルを書き込んだ前記供試品の特性を確認し、前記供試品の特性が前記顧客
の要求動作特性に合ったときに、前記要求動作特性を有するプログラマブル電子部品を前
記顧客に提供する、ことを特徴としている。この場合、前記試験ファイルの提供に対して
課金することができる。また前記プログラマブル電子部品をプログラマブル発振器とする
ことができる。
【０００９】
これにより顧客側でファイルを生成できるので、新たな動作特性のファイルが必要にな
ったときに、従来技術と比べるとすぐに新たなファイルを生成することができる。また販
売者側でファイルを生成する作業を省くことができる。さらに販売者のコストに見合った
料金を顧客に請求できる。そして電子部品をプログラマブル発振器とした場合、この発振
器を動作特性通りに動作するファイルを顧客側ですぐに生成することができる。
【００１０】
また生成した前記試験ファイルを販売者が確認可能であることを特徴としている。これ
により顧客情報を一元管理でき、この顧客情報に基づいて販売者は顧客のニーズを掴むこ
とができる。
【００１１】
また本発明に係るプログラマブル電子部品の販売システムは、顧客側に設置され、提供
されたプログラマブル電子部品の供試品に試験ファイルを書き込む書き込み手段と、前記
顧客が要求する前記プログラマブル電子部品の動作特性を出力するとともに、通信網を介
して前記供試品に書き込む試験ファイルを受信して前記書き込み手段に与える顧客端末と
、前記通信網を介して前記顧客の要求動作特性を受信するとともに、前記試験ファイルを
出力する販売者端末と、前記販売者端末が受信した前記要求動作特性に基づいて、予め与
えられたアルゴリズムに従って前記試験ファイルを生成して出力する生成手段と、を有す
ることを特徴としている。この場合、前記試験ファイルを書き込まれた前記供試品が前記
要求動作特性を有することに基づく発注情報を販売者が受けたときに、前記顧客に提供す
る前記プログラマブル電子部品に前記試験ファイルに基づいたファイルを書き込む製品フ
ァイル書き込み手段を有することができる。また前記生成部で前記ファイルを生成するこ
とに対して課金することができる。
【００１２】
これにより顧客側においてファイルを生成して電子部品に書き込むことができるので、
所望の動作特性の電子部品を短期間で得ることができる。また販売者側は顧客の注文に応
じてファイルを生成し、このファイルを電子部品に書き込む作業を無くすことができる。
さらに販売者は顧客の生成したファイルに基づく量産用のファイルを、製品ファイル書き
込み手段を介して書き込むことができる。
【００１３】
また前記生成手段で生成したファイルを記憶するデータベースを設け、前記データベー
スは前記生成手段に接続するとともに、前記通信網を介して前記顧客端末に接続したこと
を特徴としている。これにより生成したファイルを保存することができ、保存したファイ
ルを顧客端末で読み出すことができる。そして保存したファイルを顧客端末に出力して電
子部品に書き込むことができ、また保存したファイルを変更して新たなファイルを生成す
ることもできる。
【００１４】
また前記プログラマブル電子部品はプログラマブル発振器であることを特徴としている
。これによりプログラマブル発振器を動作させるファイルを生成して書き込むことができ
、この発振器を動作特性通りに動作させることができる。
【発明を実施するための最良の形態】
【００１５】
以下に、本発明に係るプログラマブル電子部品の販売方法およびプログラマブル電子部
品の販売システムの好ましい実施の形態について説明する。なお本実施の形態ではプログ
ラマブル電子部品としてプログラマブル発振器を用いた形態について説明するが、本発明
がこれに限定されることはない。
【００１６】
図１にプログラマブル発振器の販売システムのブロック図を示す。プログラマブル発振
器の販売システム１０は顧客端末１２を有し、この顧客端末１２には書き込み手段１４が
接続されている。この顧客端末１２と書き込み手段１４は顧客側に備えられている。前記
顧客端末１２はキーボード等の入力装置と表示装置等からなり、プログラマブル発振器の
動作特性を入力、表示等するようになっている。また顧客端末１２は図示しない通信手段
を有しており、この通信手段を介してインターネット等の通信網１６に接続することがで
きる。
【００１７】
前記書き込み手段１４はプログラマブル発振器に設けられた端子に対応した書き込み端
子を有するソケットを有し、前記ソケットにプログラマブル発振器が着脱できるようにな
っている。そして前記ソケットへ差し込まれたプログラマブル発振器に、この発振器を動
作させるファイルを書き込むようになっている。この書き込み手段１４には暗号が記憶さ
れており、書き込み手段１４が顧客端末１２に接続されると前記暗号が顧客端末１２に出
力されるようになっている。
【００１８】
なお図１では、１つの顧客端末１２が通信網１６に接続された形態で記載しているが、
複数の顧客端末１２が通信網１６に接続された形態であってもよい。この場合、複数の顧
客端末１２に書き込み手段１４がそれぞれ接続されることになる。
【００１９】
またプログラマブル発振器の販売システム１０は販売者端末１８、生成手段２０および
データベース２６を有し、販売者端末１８は図示しない通信手段を有している。そして販
売者端末１８は生成手段２０およびデータベース２６とそれぞれ接続されている。また生
成手段２０は認証部２２および生成部２４を有し、販売者端末１８は認証部２２と接続さ
れている。さらに認証部２２および生成部２４はデータベース２６とそれぞれ接続されて
いる。そして生成手段２０は販売者端末１８を介して、データベース２６は生成手段２０
と販売者端末１８とを介して通信網１６に接続することができる。これらの生成手段２０
、データベース２６および販売者端末１８は販売者側に備えられている。
【００２０】
前記認証部２２は、通信網１６を介して顧客端末１２が生成部２４やデータベース２６
へ接続するときに、接続の可否を判断するものである。また生成部２４はプログラマブル
発振器を動作させるファイル（試験ファイル）を生成するものであり、前記ファイルを生
成するプログラムが生成部２４内に予め記憶されている。そして前記プログラムのアルゴ
リズムに従って、プログラマブル発振器の動作特性、例えば発振周波数、精度、動作電圧
等に応じたファイルが生成される。
【００２１】
データベース２６は認証記憶部２８と複数のファイル記憶部３０（３０ａ，３０ｂ，…
３０ｎ）とを有している。認証記憶部２８は認証部２２と接続しており、認証部２２にお
いて顧客端末１２を接続させるか否か判断するデータ、例えばユーザ情報や書き込み手段
１４の暗号等が記憶されている。またファイル記憶部３０は認証部２２と生成部２４に接
続しており、生成部２４で生成されたファイルや、顧客の接続状況等を顧客毎に分けて記
憶しておくものである。
【００２２】
販売者端末１８はキーボード等の入力装置と表示装置等（不図示）からなり、生成部２
４で生成されたファイルや、ファイル記憶部３０に記憶されているファイル等を表示する
ようになっている。また前記入力装置を用いて入力した命令等に基づいて、生成部２４お
よびデータベース２６に対して登録、変更、削除等、例えばファイルを生成するプログラ
ムの新規登録、変更、削除や、認証記憶部２８にユーザ情報を新規登録等が行えるように
なっている。なお図１において、販売者端末１８と、生成手段２０およびデータベース２
６とを接続する点線の矢印は、販売者のみが接続できる経路を示すものである。
【００２３】
次に、プログラマブル発振器の販売システム１０の作用について説明する。まずプログ
ラマブル発振器の販売システム１０を利用するための顧客登録について説明する。図２に
顧客登録について説明するフローを示す。最初に顧客と販売者との間で、プログラマブル
発振器を動作させるファイルの価格やファイルが未書き込みのプログラマブル発振器の価
格、システムの使用期間、入金方法等についての交渉が行われる（Ｓ１００）。この交渉
の後に、販売者から顧客へ書き込み手段が貸し出しまたは販売されるとともに、プログラ
マブル発振器が提供される（Ｓ１０２）。そして販売者は、販売者端末１８を介してデー
タベース２６に接続し、システムを利用する顧客の会社名、アドレス、システムの使用期
間、パスワード等を登録する。またこの顧客に提供した書き込み手段１４に記憶された暗
号をデータベース２６に登録する。さらに提供したプログラマブル発振器の情報、例えば
提供個数や、発振器の種類等の特性を登録する（Ｓ１０４）。これにより顧客登録が終了
する。なお使用期間は更新することができ、更新を繰り返すことにより顧客はプログラマ
ブル発振器の販売システム１０を利用し続けることができ、更新をしなければ顧客はプロ
グラマブル発振器の販売システム１０を利用できなくなる。
【００２４】
顧客登録が終了すると、顧客はプログラマブル発振器のファイルを生成することが可能
になる。次にファイルの生成について説明する。図３にファイルの生成について説明する
フローを示す。顧客は顧客端末１２を通信網１６に接続（Ｓ２００）させた後、顧客端末
１２と書き込み手段１４を接続させる（Ｓ２０２）。この後、顧客端末１２を生成手段２
０に接続させて（Ｓ２０４）、顧客端末１２で入力したパスワードを生成手段２０に出力
させると、認証部２２は認証記憶部２８に記憶されているパスワードと比較する。また書
き込み手段１４に記憶されている暗号が顧客端末１２と通信網１６を介して生成手段２０
へ出力され、認証部２２で認証記憶部２８に記憶されている暗号と比較される。そして、
パスワードの比較および暗号の比較が行われた結果、接続が認証されると（Ｓ２０６）、
顧客端末１２は生成部２４に接続される（Ｓ２０８）。なお接続が認証されないと、顧客
端末１２は生成手段２０への接続を拒否される。
【００２５】
図４に入力画面の一例を示す。顧客端末１２が生成部２４に接続すると、顧客端末１２
の前記表示装置には入力画面が表示される。顧客は入力画面の記載にしたがって動作特性
を入力する（Ｓ２１０）。この動作特性は、例えば発振周波数、周波数精度、電源電圧、
拡散率（発振周波数の変動する幅）、拡散の有効・無効、変調幅（発振周波数が変動する
周期）等である。この入力を終えると、入力した動作特性の情報を生成部２４に送信する
（Ｓ２１２）。そして動作特性の情報は通信網１６を介して生成部２４に入力され、生成
部２４に記憶されているプログラムのアルゴリズムに従って、プログラマブル発振器を動
作させるファイルが生成される（Ｓ２１４）。ファイルが生成されると、このファイルの
動作特性等の顧客情報が顧客毎のファイル記憶部３０に履歴として記憶され（Ｓ２１６）
、販売者が販売者端末１８を介して前記履歴を確認することが可能になる。またファイル
を生成することにより課金される（Ｓ２１８）。このとき顧客登録の交渉時に行った契約
にしたがって課金してもよい。この課金の情報は販売者端末１８に出力される。
【００２６】
生成されたファイルはデータベース２６に設けられた顧客毎のファイル記憶部３０に記
憶され（Ｓ２２０）、通信網１６を介して顧客端末１２へ出力される（Ｓ２２２）。そし
てファイルをプログラマブル発振器に書き込むには、まず書き込み手段１４の前記ソケッ
トに、ファイルが未書き込みのプログラマブル発振器を差込む。この後、顧客端末１２か
ら書き込み手段１４へファイルを出力して、プログラマブル発振器にファイルを書き込む
（Ｓ２２４）。これによりプログラマブル発振器は、所望の動作特性に基づいて動作する
ことになる。なおプログラマブル発振器の形態によっては、すでにファイルが書き込まれ
ているプログラマブル発振器に、新たなファイルを上書きすることもできる。
【００２７】
次にデータベース２６への接続について説明する。図５にデータベース２６への接続に
ついて説明するフローを示す。なお顧客端末１２が生成手段２０に接続するＳ３００から
Ｓ３０４までの過程は、上述したファイルを生成するときのＳ２００からＳ２０４までの
過程と同じなので説明を省略する。認証部２２で顧客端末１２の接続が認証されると（Ｓ
３０６）、顧客端末１２はデータベース２６内にその顧客専用に設けられたファイル記憶
部３０に接続される（Ｓ３０８）。この後、ファイル記憶部３０に記憶されているファイ
ルの中から、使用したいファイルを指定して読み出しを行う（Ｓ３１０）。読み出された
ファイルをプログラマブル発振器に書き込むには、まず通信網１６を介してファイルを顧
客端末１２に出力させる（Ｓ３１２）。そして顧客端末１２から書き込み手段１４へファ
イルを出力して、プログラマブル発振器にファイルを書き込む（Ｓ３１４）。またファイ
ル記憶部３０で読み出したファイルの動作特性を変更して、新たなファイルを生成するこ
ともできる。そして顧客端末１２がファイル記憶部３０に接続すると、顧客がファイルを
出力したり、新たなファイルを生成した等の顧客情報の履歴がファイル記憶部３０に記憶
され、販売者が販売者端末１８を介して前記履歴を確認することが可能になる。
【００２８】
そして顧客はプログラマブル発振器の販売システム１０を用いてプログラマブル発振器
にファイルを書き込んだ後、プログラマブル発振器を電子機器に組み込んで前記電子機器
が仕様通りに動作するか否か等の評価を行う。この評価を行った結果、ある動作特性のプ
ログラマブル発振器を量産することになると、販売者に対して量産依頼をすることになる
。なお販売者が量産をする場合は、この量産品のファイルをファイル記憶部３０から取得
し、製品ファイル書き込み手段（不図示）を用いて、このファイルをそのまま、または変
更を加えて（試験ファイルに基づいたファイルを）プログラマブル発振器に書き込んで量
産してもよい。
【００２９】
このように、電子部品の動作特性を顧客端末１２に入力し、通信網１６を介して動作特
性を生成部２４に送信し、この生成部２４でファイルを生成しているので、従来技術のよ
うに販売者が注文を受けてファイルを生成することがなくなり、販売者のファイルを生成
する作業を省くことができる。また通信網１６を介して生成されたファイルを顧客端末１
２で受信し、顧客に予め提供された書き込み手段１４を介してファイルをプログラマブル
発振器に書き込むことができるので、販売者のファイルを書き込む作業を省くことができ
、従来技術に比べて短期間でプログラマブル発振器を提供できる。また本実施の形態では
ファイルを生成した量に対して課金しているので、コストに見合った料金を請求できる。
【００３０】
またファイルの生成は通信網１６を介して生成手段２０に接続することにより行われる
ため、全ての顧客が生成手段２０に接続することになる。したがって、顧客情報を一元管
理できる。また販売者は顧客情報の履歴によって、どのような動作特性のファイルを生成
したのか等がわかるので、顧客のニーズを掴むことができる。
【００３１】
またファイルを生成するプログラムは生成部２４内に記憶されているので、販売者端末
１８から生成部２４に接続して更新プログラムを生成部２４に出力すれば、前記プログラ
ムを更新することができる。したがってプログラムの更新を一度に行える。また前記プロ
グラムを各顧客に提供する場合に比べて、前記プログラムを複製されにくい利点がある。
【００３２】
なお本実施の形態では、プログラマブル電子部品がプログラマブル発振器である場合に
ついて説明したが、集積回路素子等の他のプログラマブル機能を有する電子部品であって
もよい。
【図面の簡単な説明】
【００３３】
【図１】本実施の形態に係るプログラマブル電子部品の販売システムのブロック図である。
【図２】顧客登録について説明するフローである。
【図３】ファイルの生成について説明するフローである。
【図４】入力画面の一例を示す図である。
【図５】データベースへの接続について説明するフローである。
【図６】従来技術に係るプログラマブル発振器の販売の流れを説明するフローである。
【符号の説明】
【００３４】
１０………プログラマブル電子部品の販売システム、１２………顧客端末、１４………書
き込み手段、１６………通信網、２０………生成手段、２２………認証部、２４………生
成部、２６………データベース、２８………認証記憶部、３０（３０ａ，３０ｂ，３０ｎ
）………ファイル記憶部、３２………販売者端末。
【図１】
2005276179.tif 000003
【図２】
2005276179.tif 000004
【図３】
2005276179.tif 000005
【図４】
2005276179.tif 000006
【図５】
2005276179.tif 000007
【図６】
2005276179.tif 000008